(57)【要約】【課題】液晶ディスプレイ内の画素のばらつきにより、マルチディスプレイシステム全体での表示のばらつきを抑制することができるディスプレイ位置決定装置、液晶ディスプレイ装置、リモートコントローラ及びディスプレイ位置決定方法を提供すること。【解決手段】ディスプレイ位置決定装置１００は、複数の液晶ディスプレイの、表示能力の均一性を示すユニフォミティ情報を取得する受信部１０１と、ユニフォミティ情報に基づいて、複数の液晶ディスプレイを並べて配置する位置を決定する情報処理部１０２と、を備える。【選択図】図１
2017125952.tif 000002
【特許請求の範囲】
【請求項１】
複数の液晶ディスプレイの、表示能力の均一性を示すユニフォミティ情報を取得する受信部と、
前記ユニフォミティ情報に基づいて、前記複数の液晶ディスプレイを並べて配置する位置を決定する情報処理部と、を備えるディスプレイ位置決定装置。
【請求項２】
前期受信部は、複数の液晶ディスプレイから、輝点の情報を取得し、
前記情報処理部は、輝点の数が多い順に、前記複数の液晶ディスプレイを端の位置から配置するように決定する請求項１に記載のディスプレイ位置決定装置。
【請求項３】
前期受信部は、複数の液晶ディスプレイから、黒点の情報を取得し、
前記情報処理部は、前記複数の液晶ディスプレイを、黒点の数が多い順に隅の位置から配置するように決定する請求項１または２に記載のディスプレイ位置決定装置。
【請求項４】
前記受信部は、複数の液晶ディスプレイから、色温度の情報を取得し、
前記情報処理部は、隣り合って配置する液晶ディスプレイ間の色温度の差が少ない位置の組合せで、複数の液晶ディスプレイを配置するように決定する請求項１から３のいずれかに記載のディスプレイ位置決定装置。
【請求項５】
請求項１から４のいずれかに記載のディスプレイ位置決定装置と、
前記情報処理部において決定した配置の情報を表示する液晶ディスプレイと、を備える液晶ディスプレイ装置。
【請求項６】
請求項１から４のいずれかに記載のディスプレイ位置決定装置と、
前記情報処理部において決定した配置の情報を前記複数の液晶ディスプレイの少なくとも１つに送信する送信部と、を備えるリモートコントローラ。
【請求項７】
複数の液晶ディスプレイから、表示能力の均一性を示すユニフォミティ情報を取得し、
前記ユニフォミティ情報に基づいて、前記複数の液晶ディスプレイを並べて配置する位置を決定するディスプレイ位置決定方法。
【発明の詳細な説明】
【技術分野】
【０００１】
本発明は、ディスプレイ位置決定装置、液晶ディスプレイ装置、リモートコントローラ及びディスプレイ位置決定方法に関する。
【背景技術】
【０００２】
複数の液晶ディスプレイで大画面ディスプレイを構成するマルチディスプレイシステムがある。マルチディスプレイシステムでは、複数の高輝度液晶ディスプレイを並べて配置することにより、大型且つ高輝度のディスプレイを実現している。
【０００３】
このマルチディスプレイシステムでは、複数の液晶ディスプレイで１つのディスプレイを構成するので、個々の液晶ディスプレイのばらつきが少ないことが望ましい。
【０００４】
しかしながら、現実には、複数の液晶ディスプレイを完全に同一の性能とすることは難しいので、隣接する液晶ディスプレイ間でのばらつきを少なくすることが検討されている。
【０００５】
例えば、特許文献１には、マルチディスプレイシステムで配置するディスプレイの組合せ全てに対して、隣接する２つの表示面において輝度および色度の測定結果の差分値を算出し、差分値の最大値が最も小さい組合せの配置パターンで配置する方法が記載されている。
【先行技術文献】
【特許文献】
【０００６】
【特許文献１】特開２０１４−２６１２０号公報
【発明の概要】
【発明が解決しようとする課題】
【０００７】
しかしながら、特許文献１に記載された方法では、隣接する液晶ディスプレイ間の輝度および色度の差分に基づいて配置パターンを決定しているので、液晶ディスプレイ内の画素のばらつきにより、マルチディスプレイシステム全体での表示のばらつきが目立ってしまうという問題があった。
【課題を解決するための手段】
【０００８】
本発明のディスプレイ位置決定装置は、複数の液晶ディスプレイの、表示能力の均一性を示すユニフォミティ情報を取得する受信部と、前記ユニフォミティ情報に基づいて、前記複数の液晶ディスプレイを並べて配置する位置を決定する情報処理部と、を備えるようにした。
【０００９】
本発明のディスプレイ位置決定方法は、複数の液晶ディスプレイから、表示能力の均一性を示すユニフォミティ情報を取得し、前記ユニフォミティ情報に基づいて、前記複数の液晶ディスプレイを並べて配置する位置を決定するようにした。
【発明の効果】
【００１０】
本発明のディスプレイ位置決定装置、液晶ディスプレイ装置、リモートコントローラ及びディスプレイ位置決定方法によれば、液晶ディスプレイ内の画素のばらつきにより、マルチディスプレイシステム全体での表示のばらつきを抑制することができる。
【図面の簡単な説明】
【００１１】
【図１】実施の形態１にかかるディスプレイ位置決定装置の概略構成を示すブロック図である。
【図２】実施の形態１に係るマルチディスプレイシステムの概略構成を示すブロック図である。
【図３】実施の形態１におけるディスプレイ配置の一例を示す概略図である。
【図４】実施の形態１におけるディスプレイ配置の一例を示す概略図である。
【図５】実施の形態１におけるディスプレイ配置の一例を示す概略図である。
【図６】実施の形態１におけるディスプレイ配置の一例を示す概略図である。
【図７】実施の形態２に係るマルチディスプレイシステムの概略構成を示すブロック図である。
【発明を実施するための形態】
【００１２】
（実施の形態１）
以下、図面を参照して本発明の実施の形態について説明する。図１は、実施の形態１にかかるディスプレイ位置決定装置の概略構成を示すブロック図である。図１において、ディスプレイ位置決定装置１００は、受信部１０１と、情報処理部１０２とを備える。
【００１３】
受信部１０１は、複数の液晶ディスプレイ装置と直接的、または間接的（例えば、リモートコントローラー）を介して、表示能力の均一性を示すユニフォミティ情報を取得する。受信部１０１は、例えば、赤外線通信、無線通信または有線通信を行う構成を備えることが好適である。
【００１４】
情報処理部１０２は、複数の液晶ディスプレイのユニフォミティ情報に基づいて、液晶ディスプレイ間のばらつきを目立たなくさせるように、複数の液晶ディスプレイを並べて配置する位置を決定する。ユニフォミティ情報を用いた具体的な配置については、後述する。また、情報処理部１０２は、例えばＣＰＵ（Central Processing Unit）、ＡＳＩＣ（Application Specific Integrated Circuit）等の集積回路を備え、ユニフォミティ情報に基づいた複数の液晶ディスプレイの配置のアルゴリズムを実行することが好適である。
【００１５】
これら受信部１０１及び情報処理部１０２を備えるディスプレイ位置決定装置１００は、例えば液晶ディスプレイ装置に搭載してマルチディスプレイシステムを構成することができる。図２は、実施の形態１に係るマルチディスプレイシステムの概略構成を示すブロック図である。図２において、図１と同一の構成については、同一の番号を付し、説明を省略する。また、図２において、マルチディスプレイシステム２００は、液晶ディスプレイ装置３００と、リモートコントローラ４００とを備える。
【００１６】
また、マルチディスプレイシステム２００は、複数の液晶ディスプレイ装置３００を備えるので、図２において、複数の液晶ディスプレイ装置３００は、１〜ｎ（ｎは自然数）の枝番を付した液晶ディスプレイ装置３００−１〜３００−ｎと表す。同様に、液晶ディスプレイ装置３００の内部構成についても枝番を付しているものは、同一の構成である。
【００１７】
まず、液晶ディスプレイ装置３００の構成について説明する。液晶ディスプレイ装置３００は、ディスプレイ位置決定装置１００と、映像処理部３０１と、制御処理部３０２と、表示部３０３と、記憶部３０４と、通信部３０５と、を備える。
【００１８】
映像処理部３０１は、外部の映像出力装置から出力された画像データを受信し、制御処理部３０２に出力する。映像処理部３０１は、例えば、インターフェース回路で構成される。
【００１９】
制御処理部３０２は、映像処理部３０１から出力された画像データ及びディスプレイ位置決定装置１００から出力された液晶ディスプレイの配置情報を選択または合成して表示部３０３に出力する。制御処理部３０２は、例えば、ＣＰＵ、ＡＳＩＣ等の集積回路を備えることが好適である。
【００２０】
表示部３０３は、制御処理部３０２から出力された画像データ及び液晶ディスプレイの配置情報を表示する。例えば表示部３０３は、液晶ディスプレイの配置情報として、各液晶ディスプレイを識別するＩＤを配置順に表示する。また、全ての液晶ディスプレイ装置３００−１〜３００−ｎに配置情報を表示する場合には、マルチディスプレイシステム全体における自装置の位置を表示するようにしてもよい。表示部３０３は、例えば液晶ディスプレイ及びディスプレイドライバ回路から構成されることが好適である。
【００２１】
記憶部３０４は、ユニフォミティ情報及び自装置の識別情報を記憶する。具体的には、記憶部３０４は、ＲＯＭ(Read Only Memory)またはフラッシュメモリ等の不揮発性メモリで構成されることが好適である。
【００２２】
通信部３０５は、記憶部３０４に記憶されたユニフォミティ情報及び自装置の識別情報を無線信号として送信する。例えば、通信部３０５は、ＮＦＣ（Near Field Communication）機能を提供する無線通信回路で構成されることが好適である。
【００２３】
次に、リモートコントローラ４００の構成について説明する。リモートコントローラ４００は、入力部４０１と、処理部４０２と、受信部４０３と、送信部４０４とを備える。
【００２４】
入力部４０１は、液晶ディスプレイ装置３００の操作を受け付ける入力装置である。入力部４０１は、マルチディスプレイシステムを構築するための配置を決定するための動作の指示を受け付ける。具体的には、入力部４０１は、液晶ディスプレイ装置３００−１〜３００−ｎのユニフォミティ情報と識別情報とを取得する指示を受け付ける。また、入力部４０１は、液晶ディスプレイ装置３００−１〜３００−ｎのユニフォミティ情報に基づいて、マルチディスプレイシステムを構築する際の配置を決定し、表示する指示を受け付ける。また、入力部４０１は、液晶ディスプレイ装置の操作に対応したボタン、スイッチ等で構成されることが好適である。
【００２５】
処理部４０２は、入力部４０１が受け付けた操作に対応する指示を送信部４０４に出力する。また、入力部４０１が、液晶ディスプレイ装置３００−１〜３００−ｎのユニフォミティ情報と識別情報とを取得する指示を受け付けた場合、処理部４０２は、受信部４０３に液晶ディスプレイ装置３００−１〜３００−ｎが送信したユニフォミティ情報及び識別情報を受信するように指示する。また、入力部４０１が、マルチディスプレイシステムを構築する際の配置を決定し、表示する指示を受け付けた場合、処理部４０２は、液晶ディスプレイ装置３００−１〜３００−ｎのユニフォミティ情報及び識別情報を送信部４０４に出力し、マルチディスプレイシステムを構築する際の配置を決定する指示を送信するように送信部４０４に指示する。処理部４０２は、例えば、ＣＰＵ、ＡＳＩＣ等の集積回路を備えることが好適である。
【００２６】
受信部４０３は、他の液晶ディスプレイ装置３００−１〜３００−ｎから送信されたユニフォミティ情報及び識別情報を受信し、処理部４０２に出力する。例えば、受信部４０３は、通信部３０５が送信する無線信号を受信することのできる無線通信回路で構成されることが好適である。
【００２７】
送信部４０４は、入力部４０１が受け付けた液晶ディスプレイ装置３００の操作を指示する信号を無線信号として送信する。また、送信部４０４は、処理部４０２の指示にしたがって、液晶ディスプレイ装置３００−１〜３００−ｎのユニフォミティ情報及び識別情報の組合せを無線信号として送信する。
【００２８】
以上の構成により、マルチディスプレイシステム２００では、複数の液晶ディスプレイ装置３００−１〜３００−ｎから送信されたユニフォミティ情報及び識別情報がリモートコントローラ４００に集められ、このユニフォミティ情報及び識別情報に基づいて、複数の液晶ディスプレイを並べて配置する位置が決定される。決定された複数の液晶ディスプレイの配置は、液晶ディスプレイ装置３００−１〜３００−ｎの少なくとも１つで表示される。
【００２９】
次に、複数の液晶ディスプレイの配置を決定する具体的な手順について説明する。図３〜６は、実施の形態１におけるディスプレイ配置の一例を示す概略図である。図３〜６では、１６個の液晶ディスプレイ装置をもちいてマルチディスプレイシステムを構築する場合の配置を決定する例について説明する。
【００３０】
最初に、ディスプレイ位置決定装置１００の情報処理部１０２は、表示能力の均一性を示すユニフォミティのバランスが最も取れている液晶ディスプレイ装置を、マルチディスプレイの中心である図３のＡの位置に配置することを決定する。
【００３１】
次に、情報処理部１０２は、ユニフォミティのバランスが取れている順に液晶ディスプレイ装置を、マルチディスプレイの中心である図４のＢ、Ｃ、Ｄの位置に配置することを決定する。
【００３２】
更に、情報処理部１０２は、配置が決定していない液晶ディスプレイ装置の中で黒点の多い液晶ディスプレイ装置を、図５に示すようにマルチディスプレイの四隅の位置Ｅ、Ｆ、Ｇ、Ｈに配置することを決定する。位置Ｅ、Ｆ、Ｇ、Ｈのいずれに液晶ディスプレイ装置を配置するかは、隣接するＡ、Ｂ、Ｃ、Ｄの位置に配置された液晶ディスプレイ装置の画面隅同士の輝度および／または色温度の差が少なくなる組合せで決定される。具体的には、情報処理部１０２は、Ａの左上とＥの右下の輝度および／または色温度の差が少なくなり、同様にＢの右上とＦの左下、Ｃの左下とＧの右上、Ｄの右下とＨの左上の右下の輝度および／または色温度の差が少なくなる組合せで配置することを決定する。
【００３３】
そして、情報処理部１０２は、配置が決定していない液晶ディスプレイ装置の中で輝点の多い液晶ディスプレイ装置を、図６に示すように、マルチディスプレイの端の位置Ｉ、Ｊ、Ｋ、Ｌ、Ｍ、Ｎ、Ｏ、Ｐに配置することを決定する。位置Ｉ、Ｊ、Ｋ、Ｌ、Ｍ、Ｎ、Ｏ、Ｐのいずれに液晶ディスプレイ装置を配置するかは、隣接する位置に配置された液晶ディスプレイ装置の画面隅同士の輝度および／または色温度の差が少なくなる組合せで決定される。例えば、位置Ｉに配置する液晶ディスプレイ装置は、位置Ｉの左下と、位置Ｅの右下と、位置Ｋの右上と、位置Ａの左上との輝度および／または色温度の差が少なくなる液晶ディスプレイ装置の組合せで配置するように決定される。
【００３４】
このように、実施の形態１のディスプレイ位置決定装置によれば、複数の液晶ディスプレイ、表示能力の均一性を示すユニフォミティ情報を取得し、取得したユニフォミティ情報に基づいて、複数の液晶ディスプレイを並べて配置する位置を決定することにより、液晶ディスプレイ内の画素のばらつきを考慮して位置を決定することができ、マルチディスプレイシステム全体での表示のばらつきを抑制することができる。
【００３５】
また、実施の形態１のディスプレイ位置決定装置によれば、輝点の数が多い順に、前記複数の液晶ディスプレイを端の位置から配置することにより、マルチディスプレイにおいて注目されにくい端に輝点が位置するので、輝点が目立たないマルチディスプレイを構築することができる。
【００３６】
また、実施の形態１のディスプレイ位置決定装置によれば、複数の液晶ディスプレイを、黒点の数が多い順に隅の位置から配置することにより、マルチディスプレイにおいて注目されにくい隅に黒点が位置するので、黒点が目立たないマルチディスプレイを構築することができる。
【００３７】
また、実施の形態１のディスプレイ位置決定装置によれば、隣り合って配置する液晶ディスプレイ間の色温度の差が少ない位置の組合せで、複数の液晶ディスプレイを配置することにより、液晶ディスプレイ間の境界が目立たないマルチディスプレイを構築することができる。
【００３８】
また、実施の形態１の液晶ディスプレイ装置によれば、複数の液晶ディスプレイから、表示能力の均一性を示すユニフォミティ情報を取得し、取得したユニフォミティ情報に基づいて、複数の液晶ディスプレイを並べて配置する位置を決定し、決定した配置を表示することにより、液晶ディスプレイ内の画素のばらつきを考慮して位置を決定することができ、マルチディスプレイシステム全体での表示のばらつきを抑制する配置を伝えることができる。
【００３９】
（実施の形態２）
実施の形態２では、リモートコントローラにディスプレイ位置決定装置が搭載されている例について説明する。図７は、実施の形態２に係るマルチディスプレイシステムの概略構成を示すブロック図である。図７において、図１、２と同一の構成については、同一の番号を付し、説明を省略する。図７において、マルチディスプレイシステム２１０は、液晶ディスプレイ装置３１０と、リモートコントローラ４１０とを備える。
【００４０】
また、マルチディスプレイシステム２１０は、複数の液晶ディスプレイ装置３１０を備えるので、図７において、複数の液晶ディスプレイ装置３１０は、１〜ｎ（ｎは自然数）の枝番を付した液晶ディスプレイ装置３１０−１〜３１０−ｎと表す。同様に、液晶ディスプレイ装置３１０の内部構成についても枝番を付しているものは、同一の構成である。
【００４１】
まず、液晶ディスプレイ装置３１０の構成について説明する。液晶ディスプレイ装置３００は、受信部３１１と、映像処理部３０１と、制御処理部３０２と、表示部３０３と、記憶部３０４と、通信部３０５と、を備える。
【００４２】
制御処理部３０２は、映像処理部３０１から出力された画像データ及び受信部３１１から出力された液晶ディスプレイの配置情報を選択または合成して表示部３０３に出力する。
【００４３】
表示部３０３は、制御処理部３０２から出力された画像データ及び受信部３１１から出力された液晶ディスプレイの配置情報を表示する。
【００４４】
次に、リモートコントローラ４１０の構成について説明する。リモートコントローラ４００は、入力部４０１と、処理部４１２と、受信部４０３と、送信部４１４とを備える。ここで、受信部４０３は、図１の受信部１０１に対応し、処理部４１２は、情報処理部１０２に対応する機能も有する。
【００４５】
処理部４１２は、入力部４０１が受け付けた操作に対応する指示を送信部４１４に出力する。また、入力部４０１が、液晶ディスプレイ装置３１０−１〜３１０−ｎのユニフォミティ情報と識別情報とを取得する指示を受け付けた場合、処理部４０２は、受信部４０３に液晶ディスプレイ装置３１０−１〜３１０−ｎが送信したユニフォミティ情報及び識別情報を受信するように指示する。また、入力部４０１が、マルチディスプレイシステムを構築する際の配置を決定し、表示する指示を受け付けた場合、処理部４１２は、液晶ディスプレイ装置３１０−１〜３１０−ｎのユニフォミティ情報及び識別情報に基づいて、複数の液晶ディスプレイを並べて配置する位置を決定する。そして、処理部４１２は、マルチディスプレイシステムを構築する際の配置の情報を送信するように送信部４１４に指示する。処理部４１２は、例えば、ＣＰＵ、ＡＳＩＣ等の集積回路を備えることが好適である。
【００４６】
送信部４１４は、入力部４０１が受け付けた液晶ディスプレイ装置３１０の操作を指示する信号を無線信号として送信する。また、送信部４１４は、処理部４０２の指示にしたがって、マルチディスプレイシステムを構築する際の配置の情報を無線信号として送信する。
【００４７】
以上の構成により、マルチディスプレイシステム２１０では、複数の液晶ディスプレイ装置３１０−１〜３１０−ｎから送信されたユニフォミティ情報及び識別情報がリモートコントローラ４１０に集められ、このユニフォミティ情報及び識別情報に基づいて、複数の液晶ディスプレイを並べて配置する位置が決定される。決定された複数の液晶ディスプレイの配置は、リモートコントローラ４００ら液晶ディスプレイ装置３１０−１〜３１０−ｎの少なくとも１つに送信され、表示される。
【００４８】
このように、実施の形態２のリモートコントローラによれば、複数の液晶ディスプレイ、表示能力の均一性を示すユニフォミティ情報を取得し、取得したユニフォミティ情報に基づいて、複数の液晶ディスプレイを並べて配置する位置を決定し、決定した配置の情報を複数の液晶ディスプレイの少なくとも１つに送信することにより、液晶ディスプレイ内の画素のばらつきを考慮して位置を決定及び送信することができ、マルチディスプレイシステム全体での表示のばらつきを抑制することができるマルチディスプレイシステムを構築することができる。
【００４９】
なお、本発明は上記実施の形態に限られたものではなく、趣旨を逸脱しない範囲で適宜変更することが可能である。
【００５０】
また、上記実施の形態において、情報処理部１０２、処理部４０２、４１２における処理は、ＡＳＩＣ（Application Specific Integrated Circuit）等のハードウェアまたはソフトウェアで実施できる。また、処理の一部をソフトウェアで実施し、それ以外をハードウェアで実施することとしても良い。ソフトウェアで実施する際には、マイクロプロセッサ等の１つあるいは複数のＣＰＵ（Central Processing Unit）を有するコンピュータシステムに機能ブロックの処理に関するプログラムを実行させればよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc Read Only Memory）、ＣＤ−Ｒ、ＣＤ−Ｒ／Ｗ、ＤＶＤ−ＲＯＭ（Digital Versatile Disc Read Only Memory）、ＤＶＤ−Ｒ（DVD Recordable）、ＤＶＤ−Ｒ  ＤＬ（DVD-R Dual Layer)、ＤＶＤ−ＲＷ（DVD ReWritable）、ＤＶＤ−ＲＡＭ、ＤＶＤ＋Ｒ、ＤＶＲ＋Ｒ  ＤＬ、ＤＶＤ＋ＲＷ、ＢＤ−Ｒ（Blu-ray（登録商標） Disc Recordable）、ＢＤ−ＲＥ（Blu-ray （登録商標）Disc Rewritable）、ＢＤ−ＲＯＭ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５１】
１００  ディスプレイ位置決定装置
１０１、３１１、４０３  受信部
１０２  情報処理部
２００、２１０  マルチディスプレイシステム
３００、３１０  液晶ディスプレイ装置
３０１  映像処理部
３０２  制御処理部
３０３  表示部
３０４  記憶部
３０５  通信部
４００、４１０  リモートコントローラ
４０１  入力部
４０２、４１２  処理部
４０４、４１４  送信部
【図１】
2017125952.tif 000003
【図２】
2017125952.tif 000004
【図３】
2017125952.tif 000005
【図４】
2017125952.tif 000006
【図５】
2017125952.tif 000007
【図６】
2017125952.tif 000008
【図７】
2017125952.tif 000009